(57)【要約】【課題】作像エンジンがモノクロベースでカラースキャナ搭載という構成の孔版印刷装置であっても、カラースキャナのポテンシャルを十分活用できる孔版印刷装置を提供すること。【解決手段】カラーマーカによりエリア指定マークが描かれた原稿と略同じサイズ のシート状媒体１５を原稿読み取り手段１１０が読み取って生成したカラーマーカ画像データから、カラー毎にエリア指定マークの位置情報を抽出するエリア解析手段２１と、カラーマーカの色合いと印刷ドラム１０１のインキの色合いとの任意の対応付けを受け付ける色分版指定受け付け手段４と、カラーマーカの色合い毎に、位置情報にて指定される原稿画像データの領域を、色分版指定受け付け手段４がカラーマーカの色合いに対応付けて受け付けた色合いの印刷ドラム１０１に色分版する色分版手段２２と、を有することを特徴とする孔版印刷装置。【選択図】図１
2012016895.tif 000002
【特許請求の範囲】
【請求項１】
原稿を光学的に読み取り原稿画像データを生成する原稿読み取り手段と、
原稿画像データに基づき、パッケージ単位で供給される製版部材に熱穿孔プロセスを施し、前記製版部材に潜像を形成する潜像形成手段と、
潜像が形成された製版部材が装填される印刷ドラムと、
製版部材に供給されるインキを収容したインキ収容手段と、
給紙された記録媒体に前記印刷ドラムを回転させながら圧接させ、前記記録媒体に可視画像を形成する画像形成手段と、を有する孔版印刷装置であって、
カラーマーカによりエリア指定マークが描かれた原稿と略同じサイズ のシート状媒体を前記原稿読み取り手段が読み取って生成したカラーマーカ画像データから、カラー毎に前記エリア指定マークの位置情報を抽出するエリア解析手段と、
カラーマーカの色合いと印刷ドラムのインキの色合いとの任意の対応付けを受け付ける色分版指定受け付け手段と、
カラーマーカの色合い毎に、前記位置情報にて指定される原稿画像データの領域を、前記色分版指定受け付け手段がカラーマーカの色合いに対応付けて受け付けた色合いの印刷ドラムに色分版する色分版手段と、
色分版された原稿画像データの領域毎に、前記潜像形成手段に前記製版部材に潜像を形成させ、画像形成手段に印刷を実行させる制御手段と、
を有することを特徴とする孔版印刷装置。
【請求項２】
前記色分版手段は、前記位置情報にて指定される原稿画像データの領域以外の領域を、予め定められた所定の色合いの印刷ドラムに色分版する、
ことを特徴とすることを特徴とする請求項１記載の孔版印刷装置。
【請求項３】
前記画像形成手段が色分版後の原稿画像データを印刷した際の出力イメージ、又は、前記色分版手段が原稿画像データを色分版した色分版イメージ、を表示する画像表示手段、を有し、
前記制御手段は、前記画像表示手段が前記出力イメージ又は前記色分版イメージを表示した後、
印刷の実行許可を受け付けるまで前記潜像形成手段による潜像形成又は前記画像形成手段による印刷の実行を待機する、
ことを特徴とする請求項１又は２記載の孔版印刷装置。
【請求項４】
前記原稿読み取り手段がカラーの原稿画像データを生成した場合に、前記色分版手段が原稿画像データの色合いを、カラーマーカの色合いとして印刷ドラムに色分版するか否かの設定を受け付ける原稿色反映可否受け付け手段を有し、
前記原稿色反映可否受け付け手段が、原稿画像データの色合いをカラーマーカの色合いとして印刷ドラムに色分版するという設定を受け付けた場合、
前記色分版手段は、原稿画像データのカラーの領域を前記エリア指定マークとみなし、
前記原稿色反映可否受け付け手段が、原稿画像データの色合いをカラーマーカの色合いとして印刷ドラムに色分版しないという設定を受け付けた場合、
前記色分版手段は、原稿画像データのカラーの領域を、前記位置情報にて指定される原稿画像データの領域以外の領域とみなす、
ことを特徴とする請求項1〜３いずれか１項記載の孔版印刷装置。
【請求項５】
前記原稿色反映可否受け付け手段が、原稿画像データの色合いをカラーマーカの色合いとして印刷ドラムに色分版するという設定を受け付けた場合であっても、
前記色分版手段は、原稿画像データのカラーの領域の色合いに優先して、該領域を前記位置情報にて指定される原稿画像データの領域とみなし、原稿画像データのカラーの領域を、前記色分版指定受け付け手段がカラーマーカの色合いに対応付けて受け付けた色合いの印刷ドラムに色分版する、
ことを特徴とする請求項４項記載の孔版印刷装置。
【請求項６】
色分版により特定される１以上の印刷ドラムの印刷順番を特定する順番決定手段と、
前記印刷順番に従い当該孔版印刷装置にセットすべき印刷ドラムの色合いを通知し、また、当該孔版印刷装置にセットすべき印刷ドラムの色合いと、当該孔版印刷装置に装着されている印刷ドラムの色合いとが異なる場合、その旨の警告表示を行う警告手段と、を有し、
前記制御手段は、前記警告手段が通知又は警告表示した後、印刷の実行許可を受け付けるまで、前記潜像形成手段による潜像形成又は前記画像形成手段による印刷の実行を待機する、
ことを特徴とする請求項1〜５いずれか１項記載の孔版印刷装置。
【請求項７】
カラーマーカの色合いと、前記位置情報にて指定される原稿画像データの領域内又は該領域外への編集内容との対応付けを受け付ける、マーカ色-編集対応受け付け手段と、
カラーマーカの色合い毎に、前記位置情報にて指定される原稿画像データの領域又は領域以外の領域に、前記マーカ色-編集対応受け付け手段がカラーマーカの色合いに対応付けて受け付けた編集内容の編集を施す編集手段と、を有し、
前記制御手段は、前記位置情報にて指定される原稿画像データの領域又は該領域以外の領域に編集が施された原稿画像データに基づき、前記製版部材に潜像を形成させ、画像形成手段に印刷を実行させる、
ことを特徴とする請求項1〜６いずれか１項記載の孔版印刷装置。
【請求項８】
前記エリア解析手段は、全て異なる色合いのカラーマーカによりエリア指定マークが描かれた調整用シート状媒体を前記原稿読み取り手段が読み取って生成したカラーマーカ画像データから、各色合いのカラー色情報を抽出し、
カラー色情報に基づき、判別できない複数の色合いのカラーマーカが存在するか否かを判定する識別情報登録手段を有し、
前記識別情報登録手段は、判別できない複数のカラーマーカの識別情報を表示する、
ことを特徴とする請求項1〜７いずれか１項記載の孔版印刷装置。
【請求項９】
前記識別情報登録手段は、前記エリア解析手段が抽出した複数のカラー色情報が、互いに判別可能になるようカラー色情報の値の調整を受け付ける画面を表示する、
ことを特徴とする請求項８記載の孔版印刷装置。
【請求項１０】
前記エリア解析手段が抽出したカラー色情報が、互いに判別可能になるように、複数のカラー色情報の重複範囲がなくなるようにカラー色情報の値を自動的に調整する自動調整手段、
を有することを特徴とする請求項８記載の孔版印刷装置。
【請求項１１】
前記識別情報登録手段は、前記エリア解析手段が１つの前記調整用シート状媒体のカラーマーカ画像データから抽出した各色合いのカラー色情報を、１つのグループに区分してカラーマーカ識別色情報保持手段に登録し、
前記制御手段は、前記カラーマーカ識別色情報保持手段により登録されている、カラーマーカの各色合いのカラー色情報をグループ単位で読み出し、前記エリア解析手段に提供する、
ことを特徴とする請求項８記載の孔版印刷装置。
【発明の詳細な説明】
【技術分野】
【０００１】
本発明は、原稿にメイキャップ処理を施すことができる孔版印刷装置に関し、特に、カラーマーカを使用してメイキャップ処理を施すことができる孔版印刷装置に関する。
【背景技術】
【０００２】
同じ画像データの印刷枚数が多くなるほど一般の複写機よりも安価に印刷が可能な孔版印刷装置が知られている。孔版印刷装置は、マスタロール（版）から引き出されるフィルムに、読み取った画像データに従いサーマルヘッドの熱によって穴をあけ、ドラムに巻き付け、ドラムの内側からインキローラーが、版胴、スクリーン及びマスタロールの原稿パターンに沿ってインキを押し出して、原稿パターンを記録紙に転写する。
【０００３】
従来の孔版印刷装置においては種々の方法にて原稿編集や色分版することが行われている。例えば、ユーザがパーソナルコンピュータ(PC)上で作成・編集を行う方法、ユーザの手作業により原稿を切り貼りする方法、孔版印刷装置に搭載されているメイキャップ機能と呼ばれるコマンドシートを使う方法（例えば、特許文献１、２参照）、同じく孔版印刷装置に搭載されている合成機能を使う方法、などが行われている。
特許文献１には、コマンドシートに囲み線もしくは対角線を記入し、モノクロスキャナで原稿とともに読込ませることにより、指定エリア内部と指定エリア外部に分けて製版させ、これを色分版として用い、カスケード接続された二台の孔版印刷装置によりマルチカラー印刷する技術が開示されている。
【０００４】
また、特許文献２には、コマンドシートのカラーのマークをカラースキャナで読み取り、マークの色に対応して画像処理の内容を指定し、指定された各領域毎に画像処理を行うカラー画像読み取り装置が開示されている。
【０００５】
また、カラー毎に分版する技術が提案されている（特許文献３参照。）。特許文献３には、マスクしたい領域をカラーマーカで囲みカラースキャナで読み取ることで、マスク画像を生成する技術が開示されている。
【発明の概要】
【発明が解決しようとする課題】
【０００６】
ところで、近年、オフィスや事業所などに設置される、複写機(PPC)や複合機能プリンタ(MFP)は、カラー化の進展が著しい。このため、PPCやMFPに搭載されているスキャナも、カラースキャナ搭載が当然になり、それに伴い従来高価であったカラースキャナ自体の相対的なコストも年々低下しつつある。
一方、孔版印刷装置においては、基本的な作像工程はモノクロ製版・印刷を基本としているため、スキャナも長らくモノクロスキャナが使われていた。しかしながら、前述のようなオフィス環境の変化やこれにともなうモノクロスキャナの製造打ち切りや製造機種・製造規模の縮小などにより、孔版印刷装置用のモノクロスキャナの入手や安定確保が、年々難しくなりつつある。
この対応策として、作像エンジンは基本的にモノクロをベースとしているにもかかわらず、スキャナはカラースキャナ搭載という、アンバランスな構成・仕様の孔版印刷装置が考えられる。しかしこの構成は、せっかくカラースキャナを搭載しているにもかかわらず、原稿読取りはモノクロモードで行うことを意味し、カラースキャナは専らモノクロスキャナの代用として使われるに過ぎないため、そのカラースキャナの潜在能力を十分発揮できない構成となる。
【０００７】
上記の特許文献１は、このようなアンバランスな構成・仕様について考慮されてなく、カラースキャナにより読み取った指定エリア内部と指定エリア外部をどのようにモノクロの作像エンジンに適用するかについて開示されていない。
【０００８】
また、特許文献２には、カラー読み取りしてＲＧＢの各色に色分解しているが、ＲＧＢの各色と印刷ドラムとの対応付けについて（分版について）記載されていない。すなわち、コマンドシートの色合いによって、画像処理の内容が固定されてしまい、ユーザが保持しているカラーマーカの種類などに画像処理の内容が制約されてしまうという問題がある。
【０００９】
また、引用文献３にも、分版色と印刷ドラムとの対応付けについて記載されていないので特許文献２と同様の問題を生じさせる。また、特許文献３では、ユーザが原稿に直接、色マーカが閉塞線を描くため、原稿の地肌色によっては色マーカの色と印刷ドラムの色が異なってしまうという問題を生じさせる。また、原稿にすでに色つきの閉塞線が描かれている場合、特許文献３の技術では、ユーザが描画した閉塞線と、元の閉塞線との区別が付かないという問題がある。
【００１０】
本発明は、上記のような課題を鑑みてなされたものであり、作像エンジンがモノクロベースでカラースキャナ搭載という構成の孔版印刷装置であっても、カラースキャナのポテンシャルを十分活用できる孔版印刷装置を提供することを目的とする。
【課題を解決するための手段】
【００１１】
上記課題に鑑み、本発明は、原稿を光学的に読み取り原稿画像データを生成する原稿読み取り手段と、原稿画像データに基づき、パッケージ単位で供給される製版部材に熱穿孔プロセスを施し、前記製版部材に潜像を形成する潜像形成手段と、潜像が形成された製版部材が装填される印刷ドラムと、製版部材に供給されるインキを収容したインキ収容手段と、給紙された記録媒体に前記印刷ドラムを回転させながら圧接させ、前記記録媒体に可視画像を形成する画像形成手段と、を有する孔版印刷装置であって、カラーマーカによりエリア指定マークが描かれた原稿と略同じサイズ のシート状媒体を前記原稿読み取り手段が読み取って生成したカラーマーカ画像データから、カラー毎に前記エリア指定マークの位置情報を抽出するエリア解析手段と、カラーマーカの色合いと印刷ドラムのインキの色合いとの任意の対応付けを受け付ける色分版指定受け付け手段と、カラーマーカの色合い毎に、前記位置情報にて指定される原稿画像データの領域を、前記色分版指定受け付け手段がカラーマーカの色合いに対応付けて受け付けた色合いの印刷ドラムに色分版する色分版手段と、色分版された原稿画像データの領域毎に、前記潜像形成手段に前記製版部材に潜像を形成させ、画像形成手段に印刷を実行させる制御手段と、を有することを特徴とする。
【発明の効果】
【００１２】
作像エンジンがモノクロベースでカラースキャナ搭載という構成の孔版印刷装置であっても、カラースキャナのポテンシャルを十分活用できる孔版印刷装置を提供することができる。
【図面の簡単な説明】
【００１３】
【図１】孔版印刷装置の原理的な構成の一例を示す図である。
【図２】孔版印刷装置の基本構成を説明する図の一例である。
【図３】孔版印刷装置のハードウェア構成図の一例である。
【図４】メインメニューの画面例を示す図である。
【図５】メイキャップの指定方法を設定するサブメニュー画面例を示す図である。
【図６】色分版を行うにあたってのさらに詳細な設定をユーザが行うための画面例を示す図である。
【図７】原稿、カラーコマンドシートの一例を示す図である。
【図８】孔版印刷装置が色分版する制御手順を示すフローチャート図の一例である。
【図９】最終印刷部を模式的に示す図の一例である。
【図１０】制御手段がタッチパネルに表示した、赤版を製版・印刷する場合の、ユーザへの誘導表示の例を示す図である。
【図１１】読み取られた原稿の画像データ、カラーコマンドシートの画像データ等の一例を示す図である。
【図１２】複胴式の両面印刷が可能な孔版印刷装置の一例を示す図である。
【図１３】表面用の原稿とカラーコマンドシート等を示す図の一例である。
【図１４】最終印刷物(両面2色印刷物)を示す図の一例である。
【図１５】孔版印刷装置の原理的な構成の一例を示す図である。
【図１６】色分版を行うにあたってのさらに詳細な設定をユーザが行うための画面例を示す図である。
【図１７】カラー原稿、カラーコマンドシートの一例を示す図である。
【図１８】孔版印刷装置が色分版する制御手順を示すフローチャート図の一例である。
【図１９】孔版印刷装置の原理的な構成の一例を示す図である。
【図２０】マーカ色／編集対応指定手段が、タッチパネル上にサブメニューとして具現化された例を示す図である。
【図２１】それぞれのマーカ色に対し、どのような原稿編集機能を割当てるかをユーザが指定する画面の一例を示す図である。
【図２２】カラー原稿、カラーコマンドシートの一例を示す図である。
【図２３】孔版印刷装置が色分版する制御手順を示すフローチャート図の一例である。
【図２４】孔版印刷装置の原理的な構成の一例を示す図である。
【図２５】カラーマーカ識別調整手段を、タッチパネル上にサブメニューとして具現化した例を示す図である。
【図２６】調整用カラーコマンドシートの一例を示す図である。
【図２７】カラーマーカの識別調整の手順を示すフローチャート図の一例である。
【図２８】識別色情報を含むカラーマーカプロファイルを設定するサブメニューの画面の一例を示す図である。
【図２９】警告表示の画面の一例を示す図である。
【図３０】孔版印刷装置に登録されるカラーマーカ識別色情報の例を示す図である。
【発明を実施するための形態】
【００１４】
以下、本発明を実施するための形態について図面を用いて実施形態を上げながら順に説明する。なお、各実施形態において、第１の実施形態と同一の機能を有する構成要素には、第１の実施形態と同一の符号を付し、第２の実施形態以降での重複説明は極力省略する。
【００１５】
〔第１の実施形態〕
図１は、孔版印刷装置１００の原理的な構成の一例を示す図である。
孔版印刷装置１００は、熱可塑性フイルムからなるマスタに熱穿孔プロセスを適用して潜像を形成し、潜像が形成されたマスタを、インキが充填された印刷ドラムに装填し、マスタが装填された印刷ドラムを回転させ、給紙された用紙と圧接させることにより、用紙に可視画像を形成する。
【００１６】
この孔版印刷装置１００において、ユーザは、色分版指定手段４によりカラーマーカ（カラー筆記可能な筆記具）の色あいと印刷ドラムの色あいの対応付けを指定することができる点に、本実施形態の特徴の１つがある。これにより、作像エンジンがモノクロベースでカラースキャナ搭載という構成の孔版印刷装置１００でも、カラーマーカにてユーザが指定したエリア毎に、印刷ドラムを交換することができ、マルチカラー印刷が可能になる。例えば、ユーザが黒と青のカラーマーカしか持っていなくても、原稿の一部を赤で印刷したり、緑で印刷することが可能になる。
【００１７】
このため、孔版印刷装置１００は、エリア指定手段２をカラースキャナにより読み取る。エリア指定手段２は、後述するカラーコマンドシート１５であり（カラーエリア指定シートとも呼ばれる）、原稿と同じサイズのシート状媒体である。ユーザは、 少なくとも１種類以上の異なる色合いのカラーマーカにより、少なくとも１個以上の囲み線や 対角線等をエリア指定手段２に書込む。シート状媒体を使用した原稿の編集は「メイキャップ機能」と呼ばれることがある。
【００１８】
カラー読取り手段３は、後述するカラースキャナ１１０である。カラー読取り手段３がエリア指定手段２を読取ることで、カラーマーカが書き込まれた画像データの画素を各色成分に分解可能となる。
【００１９】
色分版指定手段４は、タッチパネル１１５に表示される画面である。色分版指定手段４は、エリア指定手段２で指定に使用されたカラーマーカの色合いと印刷ドラムのインキの色合いとを任意に対応させる 。なお、色分版指定手段４は、エリア指定手段２による色分版を行うかどうかの可否を受け付けることもできる。
【００２０】
誘導／警告手段６は、例えばタッチパネル１１５に含まれる。誘導／警告手段６は、予め製版に先立ち、当該孔版印刷装置１００に装着されるべき色合いの印刷ドラムのセットを指示する旨の誘導表示や、装着されるべき色合いの印刷ドラムがセットされていない場合、その旨の警告表示を行う。実際には、制御手段７が誘導／警告手段６に表示する内容を指示する。
【００２１】
画像表示手段５は例えば後述する電子ペーパー４００である。画像表示手段５は、色分版処理終了後の各分版画像イメージ、又は、色分版処理された最終印刷物としての画像イメージを表示する。
【００２２】
制御手段７は、孔版印刷装置１００の全体的な処理を制御する。制御手段７は、原稿を読込むに先立ち、カラーマーカにより原稿上の特定エリアが書込み指定されたエリア指定手段２をカラー読み取り手段３により読込む。そして、カラーマーカの色合い毎に原稿のエリアを指定するエリア位置情報を生成し、引き続きカラー読み取り手段３により原稿を読込む。制御手段７は、色分版指定手段４が受け付けた、エリア指定手段２におけるカラーマーカの色合い毎のエリア位置情報に読み込んだ画像データを割付け、さらに、画像データの領域と印刷ドラムのインキの色合いとを任意に対応させ、色分版処理を行う。
【００２３】
色分版処理終了後、制御手段７は、色分版処理による各分版画像イメージもしくは色分版処理された最終印刷物としての画像イメージを、画像表示手段５（当該孔版印刷装置に備え付けの電子ペーパー４００など）に表示し、ユーザの確認もしくは強制製版などの意図的な指示を受け付ける。
【００２４】
すなわち、製版に先立ち、制御手段７は、当該孔版印刷装置１００に装着されるべき色合いの印刷ドラムをセットする旨の表示を、誘導/警告手段６（又は、当該孔版印刷装置１００の操作パネルまたは当該孔版印刷装置に備え付けの電子ペーパーなどでもよい）に表示する。所定の色合いの印刷ドラムがセットされていない場合、制御手段７は、その旨の表示を誘導／警告手段６に表示し、ユーザの確認又は強制製版などの意図的な指示を受け付ける。そして、制御手段７は、分版された色毎に製版・印刷を行うよう制御する。
このように、本実施形態の孔版印刷装置１００は、ユーザが、色分版指定手段４によりカラーマーカ（カラー筆記可能な筆記具）の色あいと印刷ドラムの色あいの対応付けを指定することができる。このため、カラーマーカにてユーザがエリアを指定したエリア指定手段２をカラースキャナで読み取ることで、原稿の任意の領域を任意の色あいで印刷するという柔軟な色分版が可能になる。
【００２５】
制御手段７は、エリア解析手段２１，色分解手段２２，及び順番決定手段２３を有する。これらは制御手段７が後述のＨＤＤ２０７に記憶されたプログラムを実行するかハード的な回路により実現される。各手段の詳細はフロチャート図等で説明する。
【００２６】
図２は、孔版印刷装置１００の基本構成を説明する図の一例である。孔版印刷装置１００は、装置本体の内部に、マスタ１０７が外周面に巻着される印刷ドラム１０１と、印圧手段となるプレスローラ１０２と、製版装置となるプロッタ１０３と、排版手段１０４とを備える。
【００２７】
孔版印刷装置１００は、装置本体の右側に配置された給紙手段１０５から給紙される記録紙１０６をプレスローラ１０２で印刷ドラム１０１に押し当てることで、巻着されたマスタ１０７の画像を記録紙１０６に転写する。片面印刷の場合、画像転写された記録紙１０６を搬送手段１０８が装置本体の左側に配置された排紙手段１０９へと搬送し、両面印刷の場合、孔版印刷装置１００は、切替え部材１２１を再給紙手段１２２の側に切り替え、片面の印刷が終了した記録紙を再給紙手段１２２の側に導き、給紙側から再び給紙させることにより裏面に印刷を行う。このような印刷構成は公知である。
装置本体の上部には、画像読取手段となるカラースキャナ１１０が配置されていて、原稿画像を読み取り、製版に用いる画像データを取得している。
【００２８】
装置本体の上部正面には、孔版印刷装置１００の操作部となる操作パネル１１１が配設されている。操作パネル１１１には、印刷や製版の切り替えキー１１３、スタートキー１１４、タッチパネル１１５、初期設定／プリンタ設定キー１１６、印刷位置調整キー１１７、プリントスピード設定キー１１８などが配備されている。操作パネル１１１は、ＬＣＤのタッチパネル１１５を有し、その画面には、各種案内情報や各種操作画面が適宜表示され、操作画面が、装置のユーザによって操作されると、各画面に表示されたスイッチに対応した内容を、制御手段７や孔版印刷装置１００が受け付け、印刷条件等として設定される。
【００２９】
制御手段７ついて説明する。装置本体内の制御手段７は、孔版印刷装置１００の各部を制御する。
図３は、孔版印刷装置１００のハードウェア構成図の一例を示す。制御手段７は、実装基板となるＡＣＵ２００(Ａｐｐｌｉｃａｔｉｏｎ Ｃｏｎｔｒｏｌ Ｕｎｉｔ)とＥＣＵ３００(Ｅｎｇｉｎｅ Ｃｏｎｔｒｏl Ｕｎｉｔ)の二つに大きく分かれている。
【００３０】
ＡＣＵ２００には、各種のインタフェースが接続されている。操作パネルＩ／Ｆ２０５には、孔版印刷装置１００の操作パネル１１１が接続される。インターフェース(ＳＤ I/F ２０６、ＵＳＢ I/F ２０９)には、携帯型大容量記憶メディアであるＳＤメモリーカード２０１やＵＳＢメモリ２０３などが接続される。ＨＤＤ I/F２０８には大容量記憶装置となるハードディスク(以下「ＨＤＤ」などと称す)２０７が接続される。ネットワークインターフェースカード(ＮＩＣ I/F２１２)には、ＬＡＮカード（ＮＩＣ２０２）が接続される。Ｉ／Ｏインターフェース２２１には無給電画像表示装置である電子ペーパー４００が接続される。無線ＬＡＮ I/F ２１４には無線ＬＡＮ用のＮＩＣが接続される。ＦＡＸ I/F２２２にはＦＡＸモジュールが接続される。また、ＥＣＵ I/F２１５にはＥＣＵ３００側が接続される。
【００３１】
この他、ＡＣＵ２００のＡＳＩＣ（Ａｐｐｌｉｃａｔｉｏｎ Ｓｐｅｃｉｆｉｃ ｌｎｔｅｇｒａｔｅｄ Ｃｉｒｃｕｉｔ)２２０には、中央演算回路となるＣＰＵ２１６、記憶手段となるＲＡＭ２１７とＲＯＭ２１８が、接続されている。
【００３２】
ＡＣＵ２００は、孔版印刷装置１００の製版/蓄積の制御等を行い、カラースキャナ１１０又はネットワーク経由で転送されてくる文書を蓄積文書としてＨＤＤ２０７に蓄積したり、カラースキャナ１１０又はＨＤＤ２０７に蓄積された蓄積文書又はネットワーク経由で転送された文書データから、最終的に製版データを作成したのち、ＥＣＵ３００に転送するという働きを受け持つ。本実施形態のサプライ品の管理は、主にこのＡＣＵ２００により実現される。
【００３３】
ＥＣＵ３００は、中央演算回路となるＣＰＵ３２１、記憶手段となるＲＡＭ３２２とＲＯＭ３２３、ＡＣＵ２００が有するＥＣＵインターフェース２１５ と接続されるＡＣＵ I/F３２４、カラースキャナ１１０が接続されるスキャI/F３２６、プロッタ１０３が接続されるプロッタI/F３２８を有し、それぞれがＡＳＩＣ３２９に接続されている。
【００３４】
ＥＣＵ３００のプロッタ１０３は、ＡＣＵ２００により作成された製版データをもとに、周知の孔版原紙となるマスタのマスタロール（感熱孔版フィルム）１１９に熱的プロセスを加えさせ、穿孔を行う。これによりＥＣＵ３００は、製版済みのマスタを作成し、この製版済みのマスタ１０７を印刷ドラム１０１となる版胴の外周面に巻装し、ドラム内部に設置されたインキパック１２０から、インキを供給しながら印刷ドラム１０１を回転させ、それに呼応させるように記録紙(印刷用紙)１０６を給紙することにより印刷成果物(印刷物)を得る。このように、ＥＣＵ３００は製版から印刷に至る、デジタル式の孔版印刷装置１００の一連の動作全般を制御する。
【００３５】
なお、孔版印刷装置１００としては、片面印刷装置や両面印刷装置の何れであってもよいが、本実施形態では、両面印刷装置としている。ただし、本実施形態で説明するエリア指定手段２によるメイキャップ機能の実施形態は、基本的な動きを重点的に説明するため、片面印刷をベースとしたものに限定している。
【００３６】
図4〜図6を用いて、孔版印刷装置１００本体のタッチパネル１１５において、メイキャップ機能の動作に関する各種設定を説明する。
【００３７】
図4はメインメニューの画面例を示す。メインメニューの画面例は一般的なものなので簡単に説明する。この画面は、"原稿種類"、"製版濃度"、"原稿セット方向"などの読み取り条件欄４０１、記録紙の"用紙サイズ"、"変倍"、"両面／集約／分割"などの印刷条件欄４０２、及び、"ソート／仕分け"、"クラス設定"、"スキップ給紙"、"シークレット印刷"、"文書蓄積"などのオプション設定欄４０３を有する。
【００３８】
ユーザが印刷条件欄４０２の「編集」項目を選択することにより、図５に示されるメイキャップ機能を設定するためサブメニュー画面が表示される。
図５はメイキャップの指定方法を設定するサブメニュー画面例である。ユーザは「エリア指定方法」５０１と「マーカ指定方法」５０１を設定することができる。図５では「エリア指定方法」５０１として"囲み線"と"対角線"を有する。ユーザが"囲み線"を選択した場合、囲み線の内側がユーザが指定したエリアとなる。ユーザが"対角線"を選択した場合、対角線の外接矩形の内側がユーザが指定したエリアとなる。
【００３９】
「マーカ指定方法」５０２は、ユーザがカラーマーカを用いる場合、そのカラー属性をどのように利用するかを指定するための設定項目である。「マーカ指定方法」５０２には"原稿編集""色別原稿編集""色分版"がある。
なお、「マーカ指定方法」５０２としてユーザが"モノクロマーカ"を指定するか、又は、"カラーマーカ"を指定しても、その属性の利用で"原稿編集"機能を指定すると、従来のメイキャップ機能と同じ動作をすることになる。"モノクロマーカ"と、"カラーマーカ""原稿編集"という、機能として似たような設定を別々に実装している理由は、たとえば、孔版印刷装置１００に備え付けのモノクロマーカが頻繁に使用された結果、かすれて用をなさなくなっているような場合、カラーマーカを単なるモノクロマーカの代わりとして使用できるようにするためである。
【００４０】
図５の例では、ユーザは、「エリア指定方法」５０１としてユーザが"囲み線"を、マーカには"カラーマーカ"を、そして"カラーマーカ"によるエリア指定情報を"色分版"として機能させることを選択している。
【００４１】
また、図５の画面の下側の「指定方法」「原稿編集」「色分版」は、現在の画面がどのような画面かを反転表示にて示す表示項目である。また、「解除」「OK」の各ボタンは、ユーザが設定の解除、又は、確定を入力するためのボタンである。
【００４２】
孔版印刷装置１００がカラーマーカによる色分版機能の指定を受け付けた場合、ユーザがサブメニューの"色分版"タブを選択すると、図6に示すように別のサブメニューが表示される。図６の画面は、色分版を行うにあたってのさらに詳細な設定をユーザが行うための画面例である。「マーカ」６０１は、カラーコマンドシート１５で使用するマーカ色を、「インキ」６０２は印刷ドラム１０１で使用されるインキ色を、それぞれ意味する。
【００４３】
図６の例では、ユーザが"黒"、"赤"、"緑"、"青"と命名されたカラーマーカを色分版用に使用すること、孔版印刷装置１００が各々のマーカ色にそのまま対応した色インキを使用するということ、が設定されている。このような設定はオーソドックスといえる。
【００４４】
なお、図６では、説明を簡便にするため、 「カラーマーカの色合い」 =「印刷ドラムの色合い」、すなわち、「マーカ色」 =「インキ色」 としているが、必ずしもこのように設定する必要はない。ユーザは、任意のカラーマーカの色合いと任意の印刷ドラム１０１の色合いとを任意に対応づけることができる。また、カラーマーカや色インキの命名もユーザが指定できる。
【００４５】
「デフォルト色指定」６０３は、カラーマーカによる領域指定を受け付けないマーカ色である。すなわち、ここで指定されたデフォルトのマーカ色は、エリア指定の色として認識されない。また、黒マーカに対応する黒インキの処理に関しては、デフォルトカラーの処理として予め規定されており、明示的に指定がない場合、制御手段７が自動的に黒版に分版するが、図６では説明をわかりやすくするため、明示的に指定している。
また、カラーコマンドシート１５で使用する各カラーマーカの識別や命名、調整については、後述のカラーマーカ識別調整機構により、予め識別・調整がなされている。 
図7（ａ）は、原稿１６の一例を、図7（ｂ）はカラーコマンドシート１５の一例をそれぞれ示す。ユーザは、カラーコマンドシート１５を使用して、孔版印刷装置１００にメイキャップ機能による色分版を行わせる。カラーコマンドシート１５は、当該原稿１６と同サイズの紙(白紙)であり、原稿１６の色分版対象とする指定エリアに、ユーザがカラーマーカにより、囲み線もしくは対角線によって領域を指定する。
【００４６】
図7（ｂ）では、カラーコマンドシート１５には、赤(red)、緑(green)、青(blue)のカラーマーカにより、各々、3箇所、1箇所、1箇所のエリアが指定されている。なお、本実施形態では、前述のように、エリア指定方法として囲み線を設定しているため、囲み線によってエリア指定を行っているが、指定を変更すれば、対角線によっても構わない。また、従来のメイキャップ機能では、エリア内指定とエリア外指定の選択、すなわち、例えば網掛け処理を施す場合、指定エリア内に対して行うのか指定エリア外に対して行うのかの指定が可能であったが、カラーコマンドシート１５による色分版においては、エリア内指定として固定される。
【００４７】
図7（ｂ）のような設定によれば、緑(green)のカラーマークの囲み線に対応する原稿１６の領域は、緑(green)で印字され、赤(red)のカラーマークの囲み線に対応する原稿１６の領域は、赤(red)で印字され、青(blue)のカラーマークの囲み線に対応する原稿１６の領域は、青(blue)で印字される。
【００４８】
以上のような設定と準備がユーザにより行われた場合の、孔版印刷装置１００が色分版する制御手順について、図8のフローチャート図や図９〜図１１の説明図を主に使用して説明する。
ユーザは、孔版印刷装置１００の原稿台又は自動原稿送り装置(Auto Document Feeder:ADF)に、カラーコマンドシート１５と原稿１６をセットした後、製版スタートキーを押下する（ＳＴ１）。まず最初に、カラースキャナ１１０はカラーコマンドシート１５を読取る（ＳＴ２）。ユーザは定められた読み取り順を考慮して原稿１６とカラースキャナ１１０を載置してもよいし、孔版印刷装置１００が読み取り順に関係なく、先にカラーコマンドシート１５を処理対象としてもよい。
【００４９】
エリア解析手段２１は、画像データの画素値を解析し、カラーマーカの色情報と指定エリアの位置や大きさの情報(エリア位置情報)を抽出する（ＳＴ３）。エリア解析手段２１は、例えば次のように色合い（画素値）に対応づけてエリア位置情報をＲＡＭ217等に記憶する。（ｘs，ｙs）は指定エリアを矩形領域とした場合の左上頂点を、（ｘe，ye）は右下頂点をピクセル単位で示す。
画素値（ＲＧＢ）：（ｘs，ｙs）  （ｘe，ye）
画素値（ＲＧＢ）：（ｘs，ｙs）  （ｘe，ye）
…                  …    
この時、カラーマーカの色合いやエリア位置情報の抽出エラーが生じることがあるので（ＳＴ４）、制御手段７はその旨の警告をタッチパネル１１５に表示して動作を終了する（ＳＴ１０）。
【００５０】
一方、エリア位置情報の抽出が正常に行われた場合（ＳＴ４）、制御手段７は引き続いて原稿１６の読取りを継続する（ＳＴ５）。図１１（ａ）が読み取られた原稿１６の画像データを、図１１（ｂ）は、カラーコマンドシート１５の画像データをそれぞれ示す。
【００５１】
色分版手段２２は、抽出されたエリア位置情報に基づき色分版処理を行う（ＳＴ６）。具体的には、色分版手段２２は、色分版指定手段４が受け付けたカラーマーカの色合いと色インキの対応づけに基づき、エリア位置情報を色インキに対応づける。例えば、赤版には赤マーカで指定したエリア、緑版には緑マーカで指定したエリア、青版には青マーカで指定したエリア、などと、各カラーマーカの色合いを色版に振り分ける。
【００５２】
色分版手段２２は、孔版印刷装置１００のＲＡＭ２１７等のメモリ上に、例えば次のようにカラーマーカの色とエリア位置情報を展開する。このエリア位置情報が原稿の領域を特定する。
緑版：（ｘs，ｙs）（ｘe，ye）
赤版：（ｘs，ｙs）（ｘe，ye）（ｘs，ｙs）（ｘe，ye）（ｘs，ｙs）（ｘe，ye）
青版：（ｘs，ｙs）（ｘe，ye）
図１１（ｃ）〜（ｆ）は、各色の色分版を模式的に示す図の一例である。緑版には、緑(green)のカラーマークの囲み線に対応する原稿データが生成される。赤版には、赤(red)のカラーマークの囲み線に対応する原稿データが生成される。青版には、青(blue)のカラーマークの囲み線に対応する原稿データが生成される。そして、どのカラーマーカでも指定されなかったエリアの原稿データは、デフォルトカラーである黒(墨)版に振り分けられる。
【００５３】
これらの色分版処理が終了すると、制御手段７は、孔版印刷装置１００に備え付けの電子ペーパー４００に、最終印刷物の画像イメージを表示させる（ＳＴ７）。図１１（ｇ）は最終印刷物の一例を示す。具体的には、緑版に対応する原稿データのエリアを緑色の画素値に置き換え、赤版に対応する原稿データのエリアを赤色の画素値に置き換え、青版に対応する原稿データのエリアを青色の画素値に置き換える。黒版の対応する原稿データのエリアは黒版の画素値のままである。
【００５４】
図９（ａ）（ｂ）は最終印刷部を模式的に示す図の一例である。図9 （ａ）は、タブレット型で孔版印刷装置１００から着脱可能で携帯可能な電子ペーパーへの表示例であり、図９（ｂ）は、孔版印刷装置１００の外装と一体化して設けられた電子ペーパーへの表示例である。いずれも孔版印刷装置１００のタッチパネル１１５上に表示させる方法と比較して、大画面であり、ほぼ実物サイズ以上で表示されるため、確認がしやすくなっている。なお、図９（ｂ）では、大画面を活かして、内蔵ＨＤＤ（ＨＤＤ２０７）、メモリ（ＲＡＭ２１７）の使用状況、及び、故障時の連絡先が表示されている。
ユーザは最終印刷物を肉眼で目視して所望の印刷物が得られるかを確認する。制御手段は指示を受け付ける（ＳＴ８）。このように事前確認をとるのは、実際に印刷用紙に試し刷り(製版・印刷)をして、最終印刷物を確認すると、実際の印刷物を得るまでに手間がかかるのみならず、孔版原紙すなわちマスタが無駄になることを防止するためである。つまり、マスタの単価は高いので、確認のためのコストが嵩んでしまうためである。色分版の結果が意にそぐわず、やり直しや再修正などの手戻りが発生繰り返される場合はなおさらである。
なお、本実施形態では、色分版処理終了後に、制御手段７が最終印刷物の画像イメージを表示し、ユーザに確認しているが、必要に応じ（ユーザの操作によって）、図１１（ｃ）〜（ｆ）の各分版の画像イメージを表示・確認させるようにしてもよい。ユーザは色分版ごと出力イメージを確認することができる。
制御手段７がユーザの確認（印刷を実行してよいという操作）を受け付けると、次工程である製版・印刷フェーズに移行する。実作業としては、前述の色分版された各版の画像データを製版・印刷していくのであるが、事前に予め製版・印刷を行う版の順序が決まっている場合を除き、ユーザには、どの版から製版・印刷されるのか不明である。
【００５５】
このため、順番決定手段２３は、当該孔版印刷装置１００がこれから製版・印刷を行う色版の情報を、タッチパネル１１５に表示する（ＳＴ１１）。順番決定手段２３は、例えば、図６の「インキ」６０２の表示順に各版の画像データを製版・印刷する順番を決定している。または、順番決定手段２３は、図６の画面から、各版の順番をユーザから受け付けてもよい。
【００５６】
図１０（ａ）は、順番決定手段２３が誘導／警告手段６（タッチパネル１１５）に表示した、赤版を製版・印刷する場合の、ユーザへの誘導表示の例を示す図である。この画面には「赤版の製版・印刷を行います。赤色の印刷ドラムをセットしてください。」というメッセージが表示されている。ユーザは、メッセージの内容を確認して「ＯＫ」ボタンを押下する。制御手段７はこの操作を受け付ける（ＳＴ１２）。
【００５７】
ＳＴ１３でユーザが「ＯＫ」ボタンを押下した場合 、順番決定手段２３は、当該孔版印刷装置１００にセットされている印刷ドラム１０１の色合いをチェックする（ＳＴ１４）。
【００５８】
順番決定手段２３は、ＳＴ１１で誘導した印刷ドラム１０１の色合いと、セットされている印刷ドラム１０１の色合いが適合するか否かを判定する（ＳＴ１５）。もし孔版印刷装置１００に、前の版の製版・印刷で使用した印刷ドラム１０１がセットされたままだったり、赤（red）の印刷ドラム１０１以外の印刷ドラム１０１が誤ってセットされていた場合、順番決定手段２３はその旨の表示をタッチパネル１１５に表示する（ＳＴ２０）。
【００５９】
図１０（ｂ）は、順番決定手段２３がタッチパネル１１５に表示した警告の一例を示す図である。図１０（ｂ）では、「印刷ドラムを確認してください  分版色（赤）と異なる色合いの印刷ドラムがセットされています」と表示されている。
【００６０】
「版変更」ボタンは、これから当該孔版印刷装置１００において赤版を製版・印刷しようとしているが、赤版ではなく別の版を先に処理したい場合に、ユーザが選択するボタンである。ユーザが「版変更」ボタンを押下すると、図示しないタッチパネル１１５画面が表示され、そこで作業対象とする版を選択することで、順番決定手段２３は、次に製版・印刷しようとする版を赤版から別の版に変更する。
ユーザはメッセージを読んで適切な行動を取り、「版変更」ボタン、「強制製版」ボタン、「取消」ボタン、「ＯＫ」ボタン等を押下することができる。制御手段７はこの操作を受け付ける（ＳＴ２１）。
【００６１】
ユーザがメッセージに従い適切な印刷ドラム１０１をセットした場合、ユーザは「ＯＫ」ボタンを押下する。この場合、処理はＳＴ１４に戻り、順番決定手段２３は当該孔版印刷装置１００にセットされている印刷ドラム１０１の色合いをチェックする（ＳＴ１４）。
【００６２】
再チェックで適合した場合、処理は製版工程に進み（ＳＴ１６）、制御手段７は、さらに引き続き印刷工程を実行する（ＳＴ１７）。
【００６３】
また、ＳＴ２１でユーザが、（適切な印刷ドラムをセットすることなく）「強制製版」ボタンを押下した場合、処理はＳＴ１６に進む。この場合も、制御手段７は、製版工程（ＳＴ１６）、さらに引き続き印刷工程を実行する（ＳＴ１７）。
【００６４】
また、ＳＴ２１でユーザが、「版変更」ボタンを押下した場合、処理はＳＴ１３に進む。この場合、順番決定手段２３は、すでに決定している製版・印刷の順番を１つ進め次に製版・印刷しようとする印刷ドラム１０１の色合いと、セットされている印刷ドラム１０１の色合いとが適合するか否かを判定する（ＳＴ１４）。適合するに場合には、制御手段７は、製版工程（ＳＴ１６）、さらに引き続き印刷工程を実行する（ＳＴ１７）。
【００６５】
１つの版に対する製版・印刷が終了すると、順番決定手段２３は、処理の終了した版についての処理終了を記録し、すべての版の製版・印刷が終了したかを判定する（ＳＴ１８）。
【００６６】
まだ未製版の版が存在する場合（ＳＴ１９）、順番決定手段２３は、すべての版が終了するまで、前述の処理を繰り返す。
【００６７】
制御手段７がＳＴ１６、ＳＴ１７を１回実行することで、ある色の版の印刷ができるので、これを色の種類だけ（本実施形態では４回）実行すると、図１１(図中右下)に例示されるような最終印刷物が生成される。なお、孔版印刷装置１００は、ある色の版の印刷終了の度に排紙手段１０９に記録紙を排紙し、次の色の印刷のためにユーザはすでに１色以上の印刷が施された記録紙を給紙手段１０５に載置する。または、孔版印刷装置１００が、ある色の版の印刷終了の度に排紙することなく、次の色の印刷時まで内部に保持しておいてもよい。
【００６８】
以上説明したように、本実施形態の孔版印刷装置１００は、カラーマーカと印刷ドラム１０１の色合いをユーザが任意に対応づけ、搭載しているカラースキャナ１１０によりカラーコマンドシート１５を読み取り、モノクロベースの印刷ドラム１０１をセットし直すので、カラースキャナ１１０のポテンシャルを十分活かしマルチカラー印刷することが可能になる。
【００６９】
〔第２の実施形態〕
本実施形態ではカラーコマンドシート１５によるメイキャップ機能を両面印刷に適用した孔版印刷装置１００について説明する。なお、第１の実施形態と同一または同様の部分は同一符号で示し、特に必要がない限り既に説明した構成上及び機能上の説明は省略して、要部のみ説明する(以下の他の実施形態において同じである)。
第１の実施形態で説明した、カラーコマンドシート１５によるメイキャップ機能の実施形態は、片面印刷をベースとしたマルチカラー印刷であったが、孔版印刷装置１００は、両面印刷する能力を備える。このため両面印刷においても、同様な色分版によるマルチカラー印刷が可能である。
【００７０】
すなわち、カラーコマンドシート１５と原稿１６の組を両面分用意し、制御手段７が片面(表面)印刷の際に行ったのと同様の処理を、もう一方の面(裏面)でも行えばよい。しかしながら、作像エンジンはモノクロベースであるため、版の数だけ（色の数だけ）、印刷用紙を孔版印刷装置１００に通さなければならない。
本実施形態では、画像形成装置として、図１２に示すような複胴式の両面印刷が可能な孔版印刷装置１００を用いることにする。このような孔版印刷装置１００では、２色までのマルチカラー印刷であれば、ユーザが一度だけ記録紙を孔版印刷装置１００に通すだけで最終印刷物が得られることになる。
【００７１】
図１２において図２と同一部には同一の符号を付しその説明は省略する。図１２の孔版印刷装置１００は、第１の実施形態で示した単色両面製版印刷が可能な製版/印刷ユニットを１つの筺体にタンデムに配置した両面多色の孔版印刷装置１００である。
【００７２】
図１２の孔版印刷装置１００は、各々の印刷ドラム(１０１Ａ、１０１Ｂ)に、異なる色合いのインキパック(１２０Ａ、１２０Ｂ)を装着することにより、両面多色の印刷成果物を生成することができるようになっている。紙搬送経路の上流側の部材に符号のＡを、紙搬送経路の下流側の部材に符号のＢを付して説明する。
【００７３】
孔版印刷装置１００は、装置本体の右側に配置された給紙手段１０５から給紙される記録紙１０６をプレスローラ１０２Ａで印刷ドラム１０１Ａに押し当てることで、巻着されたマスタ１０７の画像を記録紙１０６に転写する。片面印刷の場合、画像転写された記録紙１０６を搬送手段１０８が、印刷ドラム１０１Ｂに搬送する。記録紙１０６はプレスローラ１０２Ｂで印刷ドラム１０１Ｂに押し当てられ、巻着されたマスタ１０７の画像が記録紙１０６に転写される。搬送手段１０８は記録紙１０６を排紙手段１０９へと搬送する。
【００７４】
両面印刷の場合、印刷ドラム１０１Ａによりマスタ１０７の画像が記録紙１０６に転写された後、孔版印刷装置１００は、切替え部材１２１を再給紙手段１２２の側に切り替え、片面の印刷が終了した記録紙を再給紙手段１２２の側に導き、給紙側から再び給紙させることにより裏面に印刷を行う。両面に画像が転写された記録紙１０６は搬送手段１０８により印刷ドラム１０１Ｂに搬送され、記録紙１０６はプレスローラ１０２Ｂで印刷ドラム１０１Ｂに押し当てられ、巻着されたマスタ１０７の画像が記録紙１０６に転写される。孔版印刷装置１００は、切替え部材１２１を再給紙手段１２２の側に切り替え、片面の印刷が終了した記録紙を再給紙手段１２２の側に導き、給紙側から再び給紙させることにより裏面（表面に当たる）に印刷を行う。この後、搬送手段１０８は記録紙１０６を排紙手段１０９へと搬送する。
【００７５】
続いて、本実施形態の印刷手順について説明する。まず、ユーザは、図６に示したメイキャップ機能の設定画面(タッチパネル１１５上)で、表面用と裏面用の設定を、第１の実施形態と同様に行う。次に、ユーザは両面分のカラーコマンドシート１５を用意する。
【００７６】
図１３は表面用の原稿１６とカラーコマンドシート１５等を示す図の一例である。図１３（ａ）は表面用の原稿１６を、図１３（ｂ）は裏面用の原稿１６をそれぞれ示す。また、図１３（ｃ）は表面用のカラーコマンドシート１５を、図１３（ｄ）は裏面用のカラーコマンドシート１５をそれぞれ示す。
【００７７】
孔版印刷装置１００がカラーコマンドシート１５の表面と裏面、原稿１６の表面と裏面をそれぞれ読み取ると、色分版処理を行う。第１の実施形態と同様、表面と裏面毎の色版がメモリ上に展開される（図１３（ｅ）〜（ｈ））。図１３（ｇ）は、緑(green)のカラーマークの囲み線に対応する表面の緑版の印刷イメージを示す。図１３（ｈ）は、緑(green)のカラーマークの囲み線に対応する裏面の緑版の印刷イメージを示す。図１３（ｅ）は、表面の黒版（デフォルト版）の印刷イメージを示す。図１３（ｆ）は、裏面の黒版（デフォルト版）の印刷イメージを示す。
【００７８】
展開された色版は、さらに版の色毎にまとめられ、印刷ドラム１０１の色インキに対応して割り付けられ、製版される。すなわち、ある色版の１つのマスタには、その色版の表面用と裏面用の２つの画像イメージが並べて形成される。図１３（ｅ）（ｆ）の黒版は１つのマスタに形成され、図１３（ｇ）（ｈ）の緑版は１つのマスタに形成される。
【００７９】
孔版印刷装置１００は、このようにして生成された２つのマスタを印刷ドラム１０１Ａ、１０１Ｂにそれぞれ装填する。例えば、黒版は、図１２の印刷ドラム１０１Ａに、緑版は図１２の印刷ドラム１０１Ｂに、それぞれ装填される。
【００８０】
記録紙は、印刷ドラム１０１Aにて黒版の表面が転写された後、裏返しにされ、印刷ドラム１０１Aにて黒版の裏面が転写され、次に、印刷ドラム１０１Bにて緑版の裏面が転写された後、裏返しにされ、印刷ドラム１０１Bにて緑版の表面が転写される。
【００８１】
以上の印刷工程により、図１４ に示すような最終印刷物(両面2色印刷物)が出来上がる。
【００８２】
したがって、本実施形態の孔版印刷装置１００は、第１の実施形態の効果に加え、両面印刷においもてカラースキャナ１１０のポテンシャルを十分活かしマルチカラー印刷することが可能になる。複胴式の両面印刷型の孔版印刷装置１００であれば、一度だけ記録紙を孔版印刷装置１００に通すだけで、２色までの両面マルチカラー印刷が可能である。なお、複胴式の両面印刷型の孔版印刷装置１００であれば３色又は４色のマルチカラー印刷を、ユーザが又は機械的な仕組みを利用して、二度、記録紙を孔版印刷装置１００に通すだけで実現できる。
【００８３】
〔第３の実施形態〕
第１、第２の実施形態では原稿１６がカラーであるかモノクロであるかを問わずに説明したが、本実施形態では原稿１６がカラーの場合の印刷について説明する。
図１５は、孔版印刷装置１００の原理的な構成の一例を示す図である。図１５と図１を比較すると、第１の実施形態で示したものに、さらに、原稿１６自体がカラー原稿であった場合に、原稿自体の色合い(原稿色)も色分版に反映させるか否かを指示するための原稿色反映可否指示手段８を有する。原稿色反映可否指示手段８の実体は、タッチパネル１１５に表示される画面である。
【００８４】
原稿色反映可否指示手段８により、原稿色を反映する指定がされた場合、色分版手段２２は、カラーコマンドシート１５によるエリア位置情報と、予め定められた色合いのカラー原稿部分と、をいずれもエリアの指定とみなす。原稿色反映指示手段８により、原稿色を反映しない指定がされた場合、色分版手段２２はカラー原稿を単なるモノクロ原稿とみなし、カラーコマンドシート１５によるエリア位置情報にのみに従って色分版する。
【００８５】
また、カラーコマンドシート１５によるエリア位置情報によって指定されているカラー原稿の対象箇所が、当該エリア指定に使用されているカラーマーカによって割付けられる色版と、当該原稿色によって割付けられる色版と、が異なっている場合、色分版手段２２は、カラーコマンドシート１５による指定を優先させるよう制御する（例えば原稿の文字が青でも、カラーコマンドシート１５によるエリア位置情報の色合いが赤（red）なら、その文字は赤版で印刷される）。
【００８６】
図１６は、色分版を行うにあたってのさらに詳細な設定をユーザが行うための画面である。図１６において図６と同一部の説明は省略する。この画面が、原稿色反映可否指示手段８が、タッチパネル１１５上にサブメニューとして具現化された例である。ここでは、項目「原稿色反映」が原稿色反映可否指示手段８に該当し、"する"(反映する)が選択されている状態（反転している）を示している。したがって、この場合、原稿がカラーなら、原則的に原稿データの色合いで製版・印刷され、カラーコマンドシート１５による色指定がある領域は、原稿がカラーでも、カラーコマンドシート１５による色指定の色合いで製版・印刷される。
【００８７】
また、図１７（ａ）は本実施形態のカラー原稿１７を、図１７（ｂ）はカラーコマンドシート１５の一例をそれぞれ示す。図１７（ａ）の記述ｄ１は青（blue）で、記述ｄ２、ｄ３は赤（red）で、印刷されている。
【００８８】
本実施形態の事例は、例年開催されているようなイベント案内等のカラー原稿１７を、ユーザが日付だけ切り貼りして修正し、使いまわすような場合に好適な実施形態となる。
【００８９】
よって、このような場合、カラー原稿１７のカラー部分はそのまま利用するため、第１の実施形態の場合と異なり、カラー原稿１７のカラーが好ましい色なら、カラーコマンドシート１５による指定を省略することができる。
【００９０】
また、カラー原稿１７では青（blue）で印刷されている記述ｄ１は、ユーザがカラーコマンドシート１５で色を指定しなければ、青版に組み入れられるが、ユーザが色を変えたいような場合がある。このような場合、ユーザは、図１７（ｂ）に示すように、例えば、原稿１６では青（blue）で印刷されている箇所に対応するカラーコマンドシート１５の領域を緑（green）のマーカで囲う。
【００９１】
色分版手段２２はカラーコマンドシート１５の緑（green）の囲み線内の領域を特定し、カラーコマンドシート１５のエリア指定を優先するので、緑のカラーマーカで指定された原稿１６の領域を緑（green）に変更する。
以上のような設定と準備が、ユーザにより行われた場合の孔版印刷装置１００の制御について、図１８のフローチャート図を主に使用して説明する。図１８の手順はほぼ第１の実施形態の図８と同様である。
【００９２】
異なる点を主に説明する。まず、カラースキャナ１１０はＳＴ５においてカラースキャナ１１０がカラー原稿１７を読み取る。
【００９３】
ＳＴ６の色分版処理において、色分版手段２２は、カラー原稿１７のカラー部分の分版処理と、前述のような原稿色とカラーコマンドシート１５による指定色が異なってくる場合の処理と、を行う（ＳＴ６）。具体的には、色分版手段２２は、
・カラーコマンドシート１５による色指定がなく、カラー原稿１７もカラーでない（デフォルトの色合いしかない）領域には、黒版を割り当てる。
・カラーコマンドシート１５による色指定があり、カラー原稿１７がカラーでない（デフォルトの色合いしかない）領域には、カラーコマンドシート１５により指定された色版を割り当てる。
・カラーコマンドシート１５による色指定があり、カラー原稿１７がカラー（デフォルトのカラー）である領域には、カラーコマンドシート１５により指定された色版を割り当てる。このように、色分版手段２２は、カラー原稿１７のカラーの領域を、カラーコマンドシート１５のエリア指定とみなす。
【００９４】
図１７（ａ）（ｂ）を例にすれば、記述ｄ１は青（blue）から緑（green）に変わり、記述ｄ２，ｄ３は赤（red）のままで、新たに、カラーコマンドシート１５の赤（red）と青（Blue）で指定されたエリアに対応する原稿の領域がそれぞれ赤（red）と青（blue）で印刷される。
【００９５】
図１７（ｃ）は最終印刷物の一例を示す図である。記述ｄ１が緑（green）、記述ｄ２，ｄ３が赤（red）、記述ｄ４が赤（red）、記述ｄ５が青（blue）、で印刷されている。
以降の処理は第１の実施形態と同じである。
なお、原稿色の色合いと各色版への割付け(分版)の仕方であるが、これには、
(1)原稿専用に当該孔版印刷装置１００で予め定められた(設定された)閾値もしくは範囲に従う
(2)原稿専用の割付け(分版)用のメニューを用意し、閾値もしくは範囲を指定し、それに従う
(3)カラーマーカ識別色情報の閾値もしくは範囲と兼用し、それに従う
などの方法が考えられるが、本実施形態では(3)の方法を採っている。
【００９６】
この理由は、(1)の方法では、閾値や範囲が固定化されているため、多種多様なカラー原稿１７へ対応できないこと、(2)の方法では、決め細やかな指定ができるが、反面、メニュー画面切り替えや設定が煩雑となるためである。これに対し、(3)の方法では、カラーマーカ用と兼用させることにより、簡易に設定ができるとともに、仮に、ある色合いのカラーマーカとある原稿色をあるひとつの色版に入れ込むような設定ができない場合(一組の色範囲指定でひとくくりにできない場合)でも、最終手段として、当該原稿色部分を当該カラーマーカでエリア指定してしまえば、目的とする効果が達成されてしまうからである。
以上のように本実施形態の孔版印刷装置１００は、第１の実施形態の効果に加え、原稿自体がカラー原稿１７である場合に、原稿自体の色合い(原稿色)も色分版に反映させることも、カラーコマンドシート１５により色指定することもできる。
【００９７】
〔第４の実施形態〕
第１〜第３の実施形態では、カラーコマンドシート１５により色分版する孔版印刷装置１００について説明したが、本実施形態では、カラーコマンドシート１５により原稿編集する孔版印刷装置１００について説明する。
【００９８】
図１９は、孔版印刷装置１００の原理的な構成の一例を示す図である。図１９において図１と同一部分の説明は省略する。図１９と図１を比較すると、第１の実施形態の色分版指定手段４の代わりに、マーカ色／編集対応指定手段９を有する。
【００９９】
マーカ色／編集対応指定手段９は、カラーコマンドシート１５で領域指定に使用されたカラーマーカの色合いと、指定されたエリア内もしくは指定されたエリア外への編集機能との対応づけを受け付ける。エリア解析手段２１は、カラー読み取り手段３により読取った、原稿１６の画像データとカラーコマンドシート１５の指定エリアのエリア位置情報を対応させる。
【０１００】
すなわち、制御手段７は、原稿１６を読込むに先立ち、カラーマーカの書込みにより指定された原稿上の特定エリアに対応したエリアが書込み指定されたカラーコマンドシート１５をカラー読み取り手段３により読み取る。制御手段７は、カラーマーカの色合い毎にエリア位置情報を生成し、引き続きカラー読取り手段３により原稿１６を読み取る。
【０１０１】
そして、制御手段７の編集手段２４は、読込んだ画像データを、カラーコマンドシート１５の対応するエリア位置情報に割付ける。さらに、編集手段２４は、マーカ色／編集対応指定手段９により指定された編集機能と、エリア位置情報を対応させることにより、カラーコマンドシート１５のエリア毎に編集処理を施し、編集処理を施された画像データについて製版・印刷を行うよう制御する。
【０１０２】
したがって、カラーコマンドシート１５と編集処理を任意に対応づけることができ、カラースキャナ１１０によりカラーコマンドシート１５を読み取ることで、原稿１６がモノクロでもカラーコマンドシート１５の読み取りに、カラースキャナ１１０の機能を利用できる。そして、モノクロの原稿１６をカラーコマンドシート１５にて指定された編集方法で編集できる。
【０１０３】
図２０、図２１は、マーカ色／編集対応指定手段９が、タッチパネル１１５上にサブメニューとして具現化された例を示す。図２０では、「マーカ指定方法」５０２として"カラーマーカ"が選択され、さらにこの"カラーマーカ"の利用方法として"色別原稿編集"が選択されているとことを示している。
【０１０４】
また、図２１では、それぞれのマーカ色に対し、ユーザがどのような原稿編集機能を割当てるかが指定されている。この図においては、緑マーカの原稿編集が指定されている。すなわち、緑マーカで指定された「エリア内」７０１に対し、ユーザは"文字""写真""消去""中抜き""全面パターン""何もしない"を選択することができる。
【０１０５】
「パターンの大きさと向き」７０３は、"全面パターン"が選択された場合のパターンの大きさと向きとして"標準""４倍角""９０度回転""４倍角＋９０度回転"からユーザが選択できるようになっている。
【０１０６】
また、緑マーカで指定された「エリア外」７０２に対し、ユーザは"文字""写真""消去""何もしない"を選択することができる。
【０１０７】
図では、緑マーカで指定された「エリア内」７０１の設定として"中抜き"、「エリア外」７０２は"何もしない"が指定された状態を示している。
【０１０８】
さらに、ユーザは、図示しない赤マーカの指定サブメニュー画面でも同様に、「エリア内」７０１は"全面パターン"を指定し、パターンの種類として"２"指定し、また、図示しない青マーカの指定サブメニュー画面でも同様に、「エリア内」７０１は"全面パターン"を指定し、パターンの種類として"２"を指定した。
【０１０９】
また、図２２（ａ）は、本実施形態のカラー原稿１７を図２２（ｂ）はカラーコマンドシート１５の一例をそれぞれ示す。図１７の原稿１６は全て黒（blach）で印刷されている。
【０１１０】
このような事例は、１つの原稿１６に対し複数種類の原稿編集を行いたい場合に好適となる。従来の孔版印刷装置１００でこのようなことをしようとすると、行いたい原稿編集の種類ごとに、製版・印刷を繰り返さなければならなかった。
以上のような設定と準備が、ユーザにより行われた場合の孔版印刷装置１００の制御について、図２３のフローチャート図を主に使用して説明する。図２３の手順はほとんど第１の実施形態の図８と同様である。
【０１１１】
異なる点を主に説明すると、ＳＴ６において色分版処理ではなく、編集手段２４がマーカ色別に原稿の編集処理を行う。また、色分版処理は行われないため、一度の製版・印刷で最終印刷物が得られる点が異なっている。
【０１１２】
ＳＴ６のマーカ色別の原稿の編集処理において、編集手段２４は、カラーコマンドシート１５で使用されるカラーマーカから抽出された色合い毎のエリア位置情報を、原稿１６の位置と対応づける。また、編集手段２４は、マーカ色／編集対応指定手段９が指定したマーカ色と編集の対応関係を読み出す。これにより、編集手段２４は、カラーマーカが指定する原稿１６の領域に対する編集内容を特定することができる。
【０１１３】
図２１の例では、図２２（ｂ）の緑（green）の囲み線に対応する原稿１６の領域は中抜きされ、赤（red）の囲み線に対応する原稿１６の領域はパターン１の全面パターンが施され、青（blue）の囲み線に対応する原稿１６の領域はパターン２の全面パターンが施される。
【０１１４】
編集手段２４は、従来のメイキャップ機能における指定エリアに対する原稿編集処理と同様の処理を、各領域の原稿１６に重畳させるようにして行っていく。従来のメイキャップ機能における原稿編集の具体的・詳細な仕組みは、すでに先願発明などで公知技術としてよく知られているため、本発明では、詳細説明を省略する。
【０１１５】
本実施形態ではある色版の製版・印刷を行う旨の誘導表示（図８のＳＴ１１）や、印刷ドラム１０１の色合いチェック（図８のＳＴ１４、ＳＴ２０、ＳＴ２１）は不要である。したがって、ユーザが最終印刷物画面表示（ＳＴ７）を目視して、確認を受け付けた後（ＳＴ８）、一度の製版・印刷により（ＳＴ１０,ＳＴ１１）により最終印刷物が得られる。
【０１１６】
図２２（ｃ）は、本実施形態の仕組みと制御により生成された最終印刷物の例を示す図である。図２２（ａ）の原稿１６の、緑（green）で指定された領域が中抜きされ、赤（red）で指定された領域に全面パターン１が施され、青（blue）で指定された領域に全面パターン２が施されている。
【０１１７】
本実施形態の孔版印刷装置１００によれば、カラーコマンドシート１５をカラースキャナ１１０で読み取ることで、１つの原稿１６に対し複数種類の原稿編集を一度の製版・印刷にて行うことができる。
【０１１８】
〔第５の実施形態〕
本実施形態では、カラーマーカの識別調整が可能な孔版印刷装置１００について説明する。
図２４は、孔版印刷装置１００の原理的な構成の一例を示す図である。図２４において図１と同一部分の説明は省略する。図２４と図１を比較すると、カラーマーカ識別調整手段１０及びカラーマーカ識別色情報保持手段１１を有する。
【０１１９】
カラーマーカ識別調整手段１０は、すべて色合いが異なるカラーマーカでそれぞれ１つずつ指定エリアが形成された調整用カラーコマンドシートが読み取られた場合、すべてのカラーマーカが各々異なるカラーマーカとして識別できるように、カラーマーカ識別色情報を自動もしくは手動で調整設定する。すなわち、カラーコマンドシート１５による色分版機能又は原稿編集機能における、孔版印刷装置１００のカラーマーカの色識別機能を調整する。カラーマーカ識別調整手段 １０は、タッチパネル１１５に表示される画面を実体とする。
【０１２０】
カラーマーカ識別色情報保持手段１１は、カラーマーカ識別調整手段１０を用いた調整において、カラーマーカ識別色情報を、孔版印刷装置１００に備え付けのカラーマーカ、又は、個人で所持するカラーマーカなど、少なくとも１種類以上の色合いを含む運用的に意味を持ったひとまとまり（後述するグループ）のカラーマーカ毎に、カラーマーカ識別色情報を保持する。カラーマーカ識別色情報保持手段１１はフラッシュＲＯＭ２１８を実体とする。
【０１２１】
識別情報登録手段２５は、カラーマーカ識別調整手段１０を用いた調整処理において、個々の異なるカラーマーカとして識別のできないカラーマーカが存在する場合、その旨と識別不能なカラーマーカを表示し、ユーザに知らせる。また、識別情報登録手段２５は、必要に応じ、適宜、カラーマーカ識別色情報保持手段１１により保持されている、カラーマーカ識別色情報を読み出し、設定することにより、カラーコマンドシート１５による色分版機能又は原稿編集機能に利用する。
【０１２２】
図２５は、カラーマーカ識別調整手段１０を、タッチパネル１１５上にサブメニューとして具現化した例を示す図である。このサブメニューが調整作業の起点となる。図２５の画面の利用例についてはフローチャート図にて説明する。
この調整作業にあたりユーザは、使用するカラーマーカ毎に１つずつ指定エリアを書込んだ、調整用カラーコマンドシート１８を準備する必要がある。
図２６は、調整用カラーコマンドシート１８の一例を示す。図２６の例では、黒（blach）、赤（red）、緑（green）、青（blue）、橙（orange）の５色のカラーマーカにより指定エリア（囲い線）が書き込まれている。なお、各指定エリアは、原稿１６の領域を指定するためのものではないので、図示する囲い込み線の位置は一例である。好ましくは、指定エリアは重なっていなければよい。図２６によれば、ユーザは、黒（blach）、赤（red）、緑（green）、青（blue）、橙（orange）の５色のカラーマーカを登録(エントリ)しようとすることを示す。
図２６のような調整用カラーコマンドシート１８が用意された状態から、カラーマーカの識別調整を図２７のフローチャート図に基づき説明する。
【０１２３】
まず、ユーザは、原稿台又は自動原稿送り装置(ADF)に、調整用カラーコマンドシート１８をセットし、図２５の「調整シート読取り」８０１の「実行」キーを押下(選択)する（ＳＴ１）。
【０１２４】
カラー読み取り手段３は調整用カラーコマンドシート１８を読取り（ＳＴ２）、識別情報登録手段２５がカラーマーカ識別色情報を抽出する(ＳＴ３)。具体的には、調整用カラーコマンドシート１８は副走査方向の一端からスキャンされるので、識別情報登録手段２５は、認識されたカラーマーカの色情報を順に仮登録していく。すなわち、識別した色（黒（Black）、赤（red）、緑（green）、青（blue）、橙（orange））の画素値などをＲＡＭ２１７等に記憶していく。
【０１２５】
もし、識別情報登録手段２５が、途中で既に認識されたものと同一と思われる(既に認識されたマーカと区別できない)マーカに遭遇した場合でも、最後までスキャン・一時登録した後で警告を出す。
【０１２６】
図２５の画面では、「識別されたマーカ」８０２に、図２６に示した調整用カラーコマンドシート１８が正常に読取られた時の結果例が示されている。読取り前においては、正常に読取れるカラーマーカの個数は事前に知ることができないため、カラーマーカのネーミング(名前付け)は、識別情報登録手段２５が任意に付与されたもの（すなわち「マーカ１〜５」）となっている。ここではマーカ１がBlack、マーカ２がred、マーカ３がgreen、マーカ４がblue、マーカ５がorangeであるとする。
【０１２７】
また、この抽出処理は、第１から第４の実施形態で説明したような通常のカラーコマンドシートを用いたメイキャップ処理とは異なり、カラーマーカ識別調整のための読取りであるので、指定エリアの位置・サイズのデータは、無視される。
【０１２８】
カラーマーカ識別色情報が問題なく抽出された場合（ＳＴ４）、すなわち、識別情報登録手段２５がすべての囲み線からマーカの色情報を判別できた場合、識別情報登録手段２５は、ユーザからカラーマーカ識別色情報の利用方法を受け付ける（ＳＴ５）。
【０１２９】
すなわち、制御手段７は、カラーマーカ識別調整のために読み取ったカラーマーカ識別色情報を引き続きカラーコマンドシート１５を用いたメイキャップ処理でそのまま使用するか（ＳＴ７）、抽出したカラーマーカ識別色情報を再利用するための登録処理を行うか（ＳＴ８）、さらに必要に応じて手動による調整を行うか（ＳＴ９）、又は、登録を取りやめるか、ユーザから受け付ける。
【０１３０】
図２５の「マーカｎ」（ｎは1〜５）のいずれかをユーザが選択すると、制御手段７は、手動による調整を受け付ける（ＳＴ９）。識別情報登録手段２５は、図２８のようなカラーマーカ識別色情報を含むカラーマーカプロファイルを設定するサブメニューの画面をタッチパネル１１５に表示する。ユーザはこの画面から、カラーマーカのネーミングやカラーマーカ識別色情報の閲覧/手動調整等を行うことができる。ここではユーザが「マーカ２」を選択したものとする。
【０１３１】
ユーザは、マーカ２がredであることを把握し、操作パネルを操作して「マーカ名」９０１を"マーカ２"から"赤"に変更した。マーカ２が赤であることは、ユーザは、調整用カラーコマンドシート１８のある方向から２番目（マーカ２）のカラーマーカが赤であることから判別する。または、図２８で「カラー情報」９０１の項目に"赤"、"緑"、"青"の各数値が表示されるので、ユーザがこの数値から判断することもできる。
【０１３２】
また、図２８では、ユーザはカラーマーカの画素値の"基準値""許容範囲"を修正変更することができる。完全な純色（赤の場合、Ｒ２５５，Ｇ０、Ｂ０）として判断されるカラーマーカは少ないので、ユーザは、赤として許容できる画素値の範囲を「基準値」に対し「マイナス」と「プラス」で設定することができる。
【０１３３】
図２８では、"赤"（Ｒ）に対し「マイナス＝５」「プラス＝０」、"緑"（Ｇ）に対し「マイナス＝５」「プラス＝３」、"青"（Ｂ）に対し「マイナス＝３」「プラス＝３」という許容範囲が設定されている。このように、ユーザは、調整用カラーコマンドシート１８に書き込んだカラーマーカの各色にネーミングでき、さらに、画素値の許容範囲を設定できる。
【０１３４】
カラーマーカ識別調整において、調整用カラーコマンドシート１８を読込ませ、ネーミングや基準値・許容値などを設定した後、ユーザは図２８の「ＯＫ」ボタンを押下する。この後図２５に戻るが、ユーザが図２５の「新規登録」ボタンを押下せず、「解除」ボタンを押下した場合、制御手段７は図２５のサブメニューの表示をやめメインメニュー等に戻る。この場合、制御手段７が取り込んだカラーマーカ識別色情報は、現在の設定値としてＲＡＭ２１７に記録保持される。
【０１３５】
しかしながら、ユーザが別の調整用カラーコマンドシート１８を用いてカラーマーカ識別調整を開始した場合、ＲＡＭ２１７に記録されたカラーマーカ識別色情報は上書きされてしまう。よって、ユーザが調整用カラーコマンドシート１８のカラーマーカ識別色情報を再利用するには、登録処理が必要となる。
図２５の画面でユーザが「新規登録」ボタンを押下した場合、識別情報登録手段２５は、ＲＡＭ２１７に記憶しているカラーマーカ識別色情報のセットをカラーマーカ識別色情報保持手段１１に記憶させる。
図３０は、孔版印刷装置１００に登録されるカラーマーカ識別色情報の例を示す図である。図３０に示すように、カラーマーカ識別色情報は、ＸＭＬ形式で登録される。カラーマーカ識別色情報には、調整用カラーコマンドシート１８を読取った時の色あいデータ(基準値)、又は、それに手動調整が加えられた変更データが保存されている。図中の<center>タグが、最終的に図２８の基準値に設定された値を示す。
【０１３６】
上記のように、実際の色分版や原稿編集時に、カラーコマンドシート１５のカラーマーカを識別・抽出する場合、孔版印刷装置１００は、当該識別データの基準値を直値で使用・参照して判断するわけではなく、読取り誤差やばらつきを考慮する。図中の<lower>タグは、最終的に図２８の許容範囲のプラスに設定された値が、図中の<upper>タグは、最終的に図２８の許容範囲のマイナスに設定された値が、それぞれ記述される。このような値が原色である"赤"、"緑"、"青"毎に登録されている。
【０１３７】
なお、<marker>タグは１つのマーカ名（図２５では赤）を示すタグであり、<group>タグは複数のカラーマーカのグループ名を示すタグである。図３０では、カラーマーカのグループ名として「Digital_Duplicator」と「Oikawa」が登録されている。前者のカラーマーカのグループは、孔版印刷装置１００の標準カラーマーカのグループであり、後者のカラーマーカのグループはあるユーザのカラーマーカのグループである。
【０１３８】
制御手段７は、図３０のカラーマーカ識別色情報をカラーマーカ識別色情報保持手段１１に記憶させる。
【０１３９】
図２７のＳＴ６において、すなわち図２５の画面においてユーザが「ＯＫ」ボタンを押下した場合、制御手段７は、抽出されたカラーマーカ識別色情報を、引き続きカラーコマンドシート１５を用いたメイキャップ処理でそのまま使用する。この場合、制御手段７は、調整用カラーコマンドシート１８の色とエリア位置情報に基づき、続いて読み取られる原稿１６の領域を特定し、第１〜第４の実施形態のように、色分版又は編集処理を行う。
【０１４０】
また、図２５の画面においてユーザが「削除」ボタンを押下した場合、制御手段７は、ＲＡＭ２１７に記憶されている現在の設定値を消去する。
【０１４１】
図２７に戻り、カラーマーカ識別色情報の抽出にエラーがあった場合（ＳＴ４）、制御手段７は、その旨の警告表示を行い（ＳＴ１０）、その後のユーザからの指示を受け付ける（ＳＴ１１）。例えば、赤（red）のマーカ２と橙（orange）のマーカ５の色相が近いため、抽出にエラーがあったものとする。
【０１４２】
図２９は、警告表示の画面の一例を示す図である。図２９の画面には「識別（区別）できないカラーマーカがあります。＜マーカ２＞＜マーカ５＞」というメッセージが表示されている。
【０１４３】
ユーザはこの警告を見て、カラースキャナ１１０による読取りエラーも考慮して、再度、調整用カラーコマンドシート１８の読取りを行わせるか（ａ）、識別できない一方のカラーマーカを別のマーカに置き換えて修正した調整用カラーコマンドシート１８を読込ませるか（ｂ）、自動認識できないカラーマーカの色合いの許容範囲を手動調整するか（ｃ）、などの選択を行う。（ａ）（ｂ）の場合、調整用カラーコマンドシート１８をＡＤＦ等にセットしてユーザは再読み取りボタンを押下する。
【０１４４】
また、（ｃ）の場合、ユーザは図２９の「手動調整」ボタンを押下する。また、カラーマーカの識別調整を中止する場合、ユーザは「取消」ボタンを押下する。
【０１４５】
図２７に戻り、再読込された場合（ＳＴ１２の再読込み）は上記の（ａ）（ｂ）に対応し、処理はステップＳ２から繰り返させる。ユーザが図２７の「手動調整」ボタンを押下した場合、処理はＳＴ９に進む。この場合、図２８の画面が表示されるので、ユーザはマーカ２とマーカ５の少なくとも一方の基準値や許容範囲を調整することで、孔版印刷装置１００がマーカ２とマーカ５を識別できるようにすることができる。
【０１４６】
具体例を、識別情報登録手段２５が、例えば、２つのカラーマーカの色合いのうちＲＧＢ１つでも画素値の範囲が重複した場合に、識別エラーがあると判定するとして説明する。
【０１４７】
例えば、マーカ２の基準値が「赤２００」で許容範囲は「赤＋５、−５」、マーカ５の基準値が「赤１９５」で許容範囲は「＋５、−５」の場合、マーカ２の赤の下限が「１９５」、マーカ５の赤の上限が「２００」となるので、画素値に重複範囲がある。このため、識別情報登録手段２５は、カラーマーカ識別色情報の抽出に識別エラーを検出する。
【０１４８】
この場合、ユーザは、マーカ２の基準値を例えば「赤２０５」、許容範囲を「赤＋３、−７」、マーカ５の基準値を「赤１９０」許容範囲を「赤  ＋７、−３」、とする。こうするとマーカ２の赤の画素値の範囲が「１９８〜２０８」に、マーカ５の赤の画素値の範囲が「１８７〜１９７」になる。こうすると、マーカ２とマーカ５で"赤"の画素値に重複範囲がなくなる。また、いずれも元の基準値をカバーしているので、マーカ名と色情報の関係が狂うこともない。
【０１４９】
また、自動調整手段２６は、このような調整を自動的に行う。調整方法にはいくつも方法がある。例えば、自動調整手段２６はマーカ２とマーカ５のうち、基準値が大きい方の基準値を１つ大きくし、基準値が小さい方の基準値を１つ小さくする。この状態で、自動調整手段２６は画素値に重複範囲が生じるか否かを判定し、重複範囲が生じる場合、基準値の調整を繰り返す。そして、元のカラーマーカ識別色情報の値が「基準値±許容値」に入らなくなると処理を打ち切る。
【０１５０】
処理の打ち切り後、自動調整手段２６は、基準値が大きい方の基準値を１つ大きくし、基準値が小さい方の基準値を１つ小さくしながら、基準値が大きい方の許容範囲のプラス側を１つ小さく、マイナス側を１つ大きくし、基準値が小さい方の許容範囲のプラス側を１つ大きく、マイナス側を１つ小さく大きくする。自動調整手段２６は画素値に重複範囲が生じるか否かを判定し、重複範囲が生じる場合、許容範囲の調整を繰り返す。そして、基準値を１つ調整して、許容範囲を調整することを繰り返す。このような処理により、自動調整手段２６は、マーカ２とマーカ５の画素値に重複範囲が生じないように、基準値と許容範囲を決定できる。
【０１５１】
以上、説明したようにして、カラーマーカ識別調整が行われる。
カラーコマンドシート１５に使用するカラーマーカの識別のためのデータ(カラーマーカ識別色情報)は、製品出荷時の設定値もしくはデフォルト設定値でそのまま使用/運用できればよい。しかし、実際は、孔版印刷装置１００専用の標準カラーマーカだけではなく、ユーザが市販のカラーマーカと混在して、又は、市販のカラーマーカのみ使用することがあるため、使用されるカラーマーカを確実に分離・識別できるように調整するこのような仕組みが必要となる。
【０１５２】
さらに、カラーコマンドシート１５の使用のたびに、ユーザが本実施形態のような調整を行っていたのでは手間暇がかかりすぎ、使い勝手のよいものとは言えない。しかし、実際の使用/運用では、孔版印刷装置１００にメイキャップ用のカラーマーカが備え付けられていたり、各個人で使用するカラーマーカがほぼ決まっていたりすることが多い。よって、カラーコマンドシート１５によるメイキャップ機能を使う場合には、使用されるカラーマーカを、運用の観点からある意味を持ったひとまとまりとして管理した方が省力的・効率的である場合が多い。
【０１５３】
本実施形態の孔版印刷装置１００はこのような要請に応え、ユーザが容易に市販のカラーマーカを使用できるようにし、かつ、使い勝手も良好にすることができる。
【符号の説明】
【０１５４】
２      エリア指定手段
３      カラー読み取り手段
４      色分版指定手段
５      画像表示手段
６      誘導／警告手段
７      制御手段
８      原稿色反映可否指定手段
９      マーカ色-編集対応指定手段
１０    カラーマーカ識別調整手段
２１    エリア解析手段
２２    色分版手段
２３    順番決定手段
２４    編集手段
２５    識別情報登録手段
２６    自動調整手段
１００  孔版印刷装置
【先行技術文献】
【特許文献】
【０１５５】
【特許文献１】特開平０５−２５４２３７号公報
【特許文献２】特開平０６−２７６３５８号公報
【特許文献３】特開平０４−３２９１３６号公報
【図１】
2012016895.tif 000003
【図２】
2012016895.tif 000004
【図３】
2012016895.tif 000005
【図４】
2012016895.tif 000006
【図５】
2012016895.tif 000007
【図６】
2012016895.tif 000008
【図７】
2012016895.tif 000009
【図８】
2012016895.tif 000010
【図９】
2012016895.tif 000011
【図１０】
2012016895.tif 000012
【図１１】
2012016895.tif 000013
【図１２】
2012016895.tif 000014
【図１３】
2012016895.tif 000015
【図１４】
2012016895.tif 000016
【図１５】
2012016895.tif 000017
【図１６】
2012016895.tif 000018
【図１７】
2012016895.tif 000019
【図１８】
2012016895.tif 000020
【図１９】
2012016895.tif 000021
【図２０】
2012016895.tif 000022
【図２１】
2012016895.tif 000023
【図２２】
2012016895.tif 000024
【図２３】
2012016895.tif 000025
【図２４】
2012016895.tif 000026
【図２５】
2012016895.tif 000027
【図２６】
2012016895.tif 000028
【図２７】
2012016895.tif 000029
【図２８】
2012016895.tif 000030
【図２９】
2012016895.tif 000031
【図３０】
2012016895.tif 000032